(57)【特許請求の範囲】
【請求項１】
装着者のための呼吸可能空気ゾーンを画定するマスク本体であって、２つ以上の呼吸用空気源部品を受け入れるように構成された２つ以上の入口ポートを有する、マスク本体と、
閉位置と開位置との間で動作可能な遮断弁と、を含み、
閉位置では、前記遮断弁によって前記２つ以上の入口ポートのうちの少なくとも１つと前記呼吸可能空気ゾーンとの間の流体連通が妨げられ、前記遮断弁は力が加えられていない場合に開位置に戻るように構成されており、
前記遮断弁はアクチュエータを含み、前記アクチュエータが押し下げられたときに前記遮断弁は閉位置にある、呼吸マスク。
【請求項２】
閉位置では、前記遮断弁によって前記２つ以上の清浄空気源部品と前記呼吸可能空気ゾーンとの間の流体連通が妨げられる、請求項１に記載の呼吸マスク。
【請求項３】
前記遮断弁が閉位置にある間に装着者による吸気があると、前記マスク本体の周縁部に漏れがあることが示される、請求項１に記載の呼吸マスク。
【発明の詳細な説明】
【技術分野】
【０００１】
本開示は、呼吸保護装置及び方法に関し、詳細には、遮断弁を含む呼吸保護装置、及び遮断弁を含む人口呼吸器保護装置の陰圧フィットチェックを行なう方法に関する。
【背景技術】
【０００２】
呼吸保護装置は一般的に、マスク本体と、マスク本体に取り付けられた１又は複数のフィルタカートリッジとを含んでいる。マスク本体は、人の顔面上の鼻部及び口部上方に着用され、場合によっては、頭部、頸部、又は他の身体部分を覆う部分を含んでいる場合がある。清浄な空気が装着者に利用可能になるのは、フィルタカートリッジ内に配置された濾材を通った後である。陰圧呼吸保護装置では、フィルタカートリッジを通して空気を引き込むことが、吸気中に装着者によって生成された陰圧によって行なわれる。外部環境からの空気が濾材を通ってマスク本体の内部空間に入り、そこで空気が装着者によって吸気される場合がある。
【０００３】
呼吸可能空気を装着者まで効果的に送達するために、呼吸保護装置は、未濾過の空気がマスクに入るのを防ぐ適切なシールを備えていることが望ましい。種々の技術が、呼吸保護装置が与えるシールの完全性を試験するために提案されている。陽圧試験では、装着者がマスク内に呼気する間、呼吸保護装置の呼気弁がブロックされる。適切なシールであると示される場合があるのは、内圧が増加したときであり、これは、漏れが存在しない場合には、マスク内の空気が呼気弁を通って脱出することができないことによる。代替的に、陰圧試験が提案されている。この試験では、装着者がマスクを着用しながら吸気する間、フィルタカートリッジポートがブロックされる。適切なシールであると示される場合があるのは、内圧が低下したときであり、これは、漏れが存在しない場合には、空気がマスクに入ることができないことによる。
【発明の概要】
【課題を解決するための手段】
【０００４】
本開示によって、装着者のための呼吸可能空気ゾーンを画定するマスク本体であって、１又は複数の呼吸用空気源部品を受け入れるように構成された１又は複数の入口ポートを有する、マスク本体と、閉位置と開位置との間で動作可能な遮断弁と、を含む呼吸マスクが提供される。閉位置では、遮断弁によって１又は複数の入口ポートと呼吸可能空気ゾーンとの間の流体連通が妨げられ、遮断弁は力の印加がない場合に開位置に戻る。例示的な実施形態では、マスク本体は、２つ以上の呼吸用空気源部品を受け入れるように構成された２つ以上の入口ポートを含み、閉位置では、遮断弁によって、清浄な２つ以上の空気源と呼吸可能空気ゾーンとの間の流体連通が妨げられる。
【０００５】
本開示によって更に、装着者のための呼吸可能空気ゾーンを画定するマスク本体であって、１又は複数の呼吸用空気源部品を受け入れるように構成された１又は複数の入口ポートを有する、マスク本体と、閉位置と開位置との間で動作可能な遮断弁と、を含む呼吸マスクが提供される。閉位置では、遮断弁によって１又は複数の入口ポートと呼吸可能空気ゾーンとの間の流体連通が妨げられ、マスク本体が装着者上で使用位置にあり、陰圧が遮断弁の閉鎖及び吸気の後に得られたときに、遮断弁は呼吸可能空気ゾーン内の陰圧により閉位置に留まる。
【０００６】
本開示によって、装着者のための呼吸可能空気ゾーンを画定するマスク本体であって、２つ以上の呼吸用空気源部品を受け入れるように構成された２つ以上の入口ポートを有する、マスク本体と、閉位置と開位置との間で動作可能な遮断弁と、を含む呼吸マスクが更に提供される。閉位置では、遮断弁によって２つ以上の入口ポートと呼吸可能空気ゾーンとの間の流体連通が妨げられ、遮断弁が閉位置にある間に装着者による吸気があると、マスク本体の周縁に漏れの存在が表示される。
【０００７】
上記概要は、開示された各実施形態又はすべての具体化を説明することは意図されていない。以下の図面及び詳細な説明は、例示的な実施形態をより具体的に例証する。
【０００８】
本開示を添付の図を参照して更に説明する場合がある。添付図では同様の構造を同様の数字によって参照することが複数の図の全体を通して行なわれる。
【図面の簡単な説明】
【０００９】
【図１ａ】本開示による例示的な呼吸保護装置の正面斜視図である。
【図１ｂ】本開示による例示的な呼吸保護装置の部分断面図である。
【図１ｃ】本開示による例示的な呼吸保護装置の部分的な断面斜視図であり、遮断弁が開位置にある場合を示す図である。
【図１ｄ】本開示による例示的な呼吸保護装置の部分的な断面斜視図であり、遮断弁が閉位置にある場合を示す図である、
【図２ａ】本開示による例示的な呼吸保護装置の部分的な断面斜視図であり、遮断弁が開位置にある場合を示す図である。
【図２ｂ】本開示による例示的な呼吸保護装置の部分的な断面斜視図であり、遮断弁が閉位置にある場合を示す図である。
【図３ａ】本開示による例示的な呼吸保護装置の部分斜視図であり、遮断弁が開位置にある場合を示す図である。
【図３ｂ】本開示による例示的な呼吸保護装置の部分斜視図であり、遮断弁が閉位置にある場合を示す図である。
【図４ａ】本開示による例示的な呼吸保護装置の部分斜視図であり、遮断弁が開位置にある場合を示す図である。
【図４ｂ】本開示による例示的な呼吸保護装置の部分斜視図であり、遮断弁が閉位置にある場合を示す図である、
【図５ａ】本開示による例示的な呼吸保護装置の正面斜視図である。
【図５ｂ】本開示による例示的な呼吸保護装置の部分斜視図であり、遮断弁が開位置にある場合を示す図である。
【図５ｃ】本開示による例示的な呼吸保護装置の部分斜視図であり、遮断弁が閉位置にある場合を示す図である、
【発明を実施するための形態】
【００１０】
前述した図では、開示した主題の種々の実施形態について説明しているが、他の実施形態も考えられる。すべての場合において、本開示は、制限条件としてではなく、代表的な例として開示される主題を提供する。本開示の原則の範囲及び趣旨内に入る、多数の他の変更及び実施形態が当業者によって考案され得ることが、理解されるべきである。
【００１１】
本開示によって、装着者のための呼吸可能空気ゾーンを画定するマスク本体であって、１又は複数の呼吸用空気源部品を受け入れるように構成された１又は複数の入口ポートを有するマスク本体を含む呼吸保護装置が提供される。閉位置と開位置との間で動作可能な遮断弁が設けられて、装着者が陰圧フィットテストを容易に行なえるようになっている。閉位置では、遮断弁によって、１又は複数の入口ポートのそれぞれと呼吸可能空気ゾーンとの間の流体連通が妨げられる。呼吸保護装置が適切にフィットされ適切なシールが実現されている場合には、装着者による吸気により、マスク内に負の内圧が生じる。
【００１２】
図１ａ〜図１ｄに例示するのは、鼻部及び口部を覆って呼吸可能空気を装着者に送ることができる例示的な呼吸保護装置１００である。呼吸保護装置１００は、１又は複数の入口ポート（例えば第１の入口ポート１０３及び／又は第２の入口ポート１０４）を含むマスク本体１２０を含んでいる。１又は複数の呼吸用空気源部品がマスク本体１２０の１又は複数の入口ポートに位置付けられても良い。例示的な実施形態では、第１及び第２の呼吸用空気源部品１０１、１０２が設けられている。これらは、第１及び第２の入口ポート１０３及び１０４に取り付けられるように構成されたフィルタカートリッジを含んでいる。フィルタカートリッジ１０１、１０２は、外部環境から受け取った空気を濾過することを、空気がマスク本体内の内部空間内に入って装着者に送達される前に行なう。
【００１３】
マスク本体１２０は、剛性又は半剛性部分１２０ａと柔軟な顔面接触部分１２０ｂとを含んでいても良い。マスク本体の柔軟な顔面接触部分が従順に作られているのは、例えば、マスク本体を人の鼻部及び口部上方で快適に支持できるようにするため、並びに／又は装着者の顔面との適切なシールを実現してマスク本体１２０の内部への望ましくない空気侵入を制限するためである。顔面接触部材１２０ｂは内曲したカフを有していてもよく、それにより、マスクは装着者の鼻部の上方で及び装着者のほおに接触して、快適かつぴったりとフィットすることができる。剛性又は半剛性部分１２０ａによってマスク本体１２０に対する構造的完全性が得られるため、剛性又は半剛性部分１２０ａによって呼吸用空気源部品（例えば、フィルタカートリッジ１０１、１０２など）を適切に支持することができる。様々な例示的な実施形態では、マスク本体部分１２０ａ及び１２０ｂを一体的に設けても良いし、又は別個に形成された部分として設けた後、永続的又は取り外し可能な方法で互いに接合しても良い。
【００１４】
呼気ポート１３０によって、装着者による呼気中に空気をマスク本体内の内部空間からパージすることができる。例示的な実施形態では、呼気ポート１３０はマスク本体１２０の中心に配置される。呼気弁を呼気ポートにフィットさせて、呼気時にマスク本体１２０内に形成される陽圧によって空気が出られるようになっているが、外部空気の侵入は防がれている。一部の例示的な実施形態では、呼気ポート１３０は、マスク本体１２０上のもっと低い位置（例えば装着者の鼻部及び口部の下方）に位置付けられる。
【００１５】
ハーネス又は他の支持部材（図示せず）を設けて、マスクを装着者の鼻部及び口部の周りの所定の位置に支持しても良い。例示的な実施形態では、ハーネスとして、装着者の頭部の後方を通る１又は複数のストラップを含むものを設ける。一部の実施形態では、ストラップを、装着者の頭部上に支持された冠部材、安全帽のサスペンション、又は別のヘッドカバーに取り付けても良い。
【００１６】
マスク本体１２０の１又は複数の入口ポートは、１又は複数の呼吸用空気源部品を受け入れるように構成されている。２つ以上の呼吸用空気源部品を含む例示的な実施形態では、図１ａに示すように、マスク本体１２０は、第１及び第２の入口ポート１０３、１０４をマスク本体１２０の両側に含んでおり、マスク本体１２０のほお部分に隣接していても良い。第１及び第２の入口ポート１０３、１０４は相補的なはめ合い特徴部（図示せず）を含んでいて、第１及び第２の呼吸用空気源部品１０１、１０２がマスク本体１２０に確実に取り付けられることができるようになっている。当該技術分野で既知の他の好適な接続部を設けても良い。はめ合い特徴部によって取外し可能な接続部が得られて、呼吸用空気源部品の耐用年数の終わりに又は異なる呼吸用空気源部品を用いることが要求された場合に、呼吸用空気源部品１０１、１０２の取り外し及び交換を行えるようになっていても良い。代替的に、接続を永続的なものにして、例えば、呼吸用空気源部品に損傷を与えることなく呼吸用空気源部品を取り外すことができないようにしても良い。
【００１７】
呼吸保護装置１００は、流体取入連通部品を閉じるための遮断弁１５０を含んでいる。例示的な実施形態では、遮断弁１５０は閉位置と開位置との間で動作可能である。閉位置では、遮断弁１５０によって、１又は複数の呼吸用空気源部品（例えば、フィルタカートリッジ１０１及び／又は１０２）のそれぞれとマスク本体１２０の呼吸可能空気ゾーンとの間の流体連通が妨げられている。
【００１８】
遮断弁１５０によって、装着者は陰圧フィットチェックを行なって、マスク本体の周縁に漏れが存在する表示を得ることができる。遮断弁１５０が閉位置にあるとき、空気がマスク本体１２０の呼吸可能空気ゾーンに入ることが妨げられる。遮断弁が閉位置にある間に装着者による吸気があると、マスク内に陰圧が生じ、例示的な実施形態では、適切なシールがマスク本体と装着者の顔面との間に実現されている場合には、装着者の吸気がより困難になるか又は柔軟な顔面接触部材が内側に撓むことが起こることがある。適切なシールが実現されていない場合、吸気が起きると、外部環境からの空気がマスク本体の周縁部と装着者の顔面との間の呼吸可能空気ゾーンに入る場合がある。このように、適切なシールが呼吸保護装置１００と装着者の顔面及び／又は頭部との間で実現されているかを判定するために、呼吸保護装置１００を着用している装着者が、陰圧フィットチェックを容易に行なうことが可能である。
【００１９】
図１ｂに示すのは、マスク本体１２０の中央部分を通して見た、例示的なマスク本体１２０典型的な断面図である。例示的なマスク本体１２０は、第１のチャンバ１２１と第２のチャンバ１２２とを含んでいる。呼吸可能空気ゾーンが第２のチャンバ１２２によって画定されている。一部の実施形態では、第１及び第２の呼吸用空気源部品１０１、１０２（例えば、フィルタカートリッジ）を、第１及び第２の入口ポート１０３、１０４に取り付けても良い。第１及び第２の入口ポート１０３、１０４は第１のチャンバ１２１と流体連通している。その結果、第１の呼吸用空気源部品１０１を通った後に第１の入口ポート１０３を通ってマスク本体１２０に入った空気は、第２の呼吸用空気源部品１０２を通った後に第２の入口ポート１０４を通ってマスク本体１２０に入った空気と連通する。したがって、第１及び第２の呼吸用空気源１０１、１０２からの空気は、マスク本体１２０の第２のチャンバ１２２によって画定される呼吸可能空気ゾーンに送達される前に、第１のチャンバ１２１内で混合されることが可能である。
【００２０】
例示的な実施形態では、第１及び第２のチャンバ１２１、１２２は、流体取入連通部品１４０を有する内壁１２４によって分離されている。流体取入連通部品１４０は１又は複数の開口部を含んで、第１のチャンバ１２１と第２のチャンバ１２２との間の流体連通を実現している。流体取入連通部品１４０は、第１のチャンバ１２１と第２のチャンバ１２２との間の流体連通を選択的に可能にするための吸気弁を含んでいても良い。これについては後で詳述する。
【００２１】
第１のチャンバ１２１は、マスク本体１２０の１又は複数の壁によって画定されており、任意の望ましい形状を示しても良い。例示的な実施形態では、第１のチャンバ１２１は、部分的に、マスク本体１２０の外壁である外壁１２３と内壁１２４とによって画定される。第１のチャンバ１２１は外部環境から実質的にシールされているが、外壁１２３を通って延びる１又は複数の入口ポート（例えば第１及び第２の入口ポート１０３、１０４）は例外である。
【００２２】
少なくとも部分的にマスク本体１２０の壁によって画定され、かつマスク本体１２０又は剛性若しくは半剛性部分１２０ａと一体的に形成されるチャンバは、マスク本体１２０の構造内のチャンバであって、チャンバがマスク本体とは別個の場合に付随する可能性がある余分な嵩又は重量を最小限にするように構成され得るチャンバとなる。更に、チャンバを装着者の頭部に極めて接近して設けて、呼吸保護装置の輪郭がそれほど大きくならないようにすることができ、その結果、装着者の頭部から離れたところで生じる大きな慣性モーメントが最小限になる。このような慣性モーメントは知覚されて、頸部の痛み又は他の不快感を装着者に対して引き起こす可能性がある。
【００２３】
第２のチャンバ１２２は、１又は複数のマスク本体１２０の壁によって同様に画定されており、装着者の鼻部及び口部の周りの呼吸可能空気ゾーンを画定する任意の好適な形状を示しても良い。例示的な実施形態では、第２のチャンバ１２２は、内壁１２４、外壁１２３の一部、及び、呼吸保護装置１００が装着者上で使用位置にあるときには、装着者の顔面及び／又は頭部の一部によって部分的に画定される。種々の実施形態では、外壁１２３が画定する内部空間が内壁１２４によって第１のチャンバ１２１と第２のチャンバ１２２とに分離され、例えば、外壁１２３の、内壁１２４の前方の部分は、第１のチャンバ１２１を部分的に画定し、外壁１２３の、装着者の顔面により近い部分は、第２のチャンバ１２２を部分的に画定する。
【００２４】
例示的な実施形態では、第１のチャンバ１２１は、空気を、１又は複数の入口ポート（第１及び／又は第２の入口ポート１０３、１０４など）から、例えば、マスク本体１２０内の異なる位置に送るダクトとして機能しても良い。従来の多くの呼吸マスクでは、清浄な空気は、カートリッジから入口ポートを通して、入口ポートの位置のマスク本体内に送達されるが、第１のチャンバ１２１によって、１又は複数の入口ポート１０３、１０４の位置を流体取入連通部品１４０とは概ね無関係にすることができる。例示的な実施形態では、入口ポート１０３、１０４は、マスク本体１２０のほお部分の近くに位置付けられ、流体取入連通部品１４０は中心に位置付けられる。例えば、流体取入連通部品の位置は、マスクを通って延びる中心軸であって、マスク本体１２０を架空の左及び右半分に分割する中心軸（例えば軸１９０）に隣接している。このような部品は、部品の一部が軸１９０の各側面上に位置する場合には、中央に位置すると言っても良い。１又は複数の入口ポート１０３、１０４がほお部分の付近に位置する一方で、流体取入連通部品１４０が中央に位置する構成では、呼吸用空気源部品の受け入れを望ましい位置及び／又は配向で行なうことが可能となり得る（例えば装着者の顔面に沿って後方に延びて視界に対する妨害を最小限にするか又はカートリッジの質量中心をマスク本体１２０及び／又は装着者の顔面に極めて接近させて維持するなど）。しかし、流体取入連通部品１４０を、依然として中心に位置付けて、清浄な空気を装着者の鼻部及び口部に極めて近いところに送達しても良く、例示的な実施形態では上部中心位置に設けられる。こうして、第１のチャンバ１２１によって、例えば、第１及び第２の呼吸用空気源部品を、望ましい人間工学的特性が得られるように位置付けることができ、流体取入連通部品１４０を、望ましい空気流が装着者に送られるように位置付けることができる。更に、第１のチャンバ１２１によって、第１及び第２の入口ポートを単一の流体取入連通部品と流体連通させることができる。呼吸保護装置が２つ以上の呼吸可能空気源部品及び単一の流体取入連通部品を有している場合、製造コストを低減することができ、かつより堅固な呼吸保護装置を得ることができる。コストのかかる流体取入連通部品を最小限にすることができ、比較的脆いダイアフラム又はフラップの使用を減らしても良い。
【００２５】
図１ｃ及び１ｄに示すのは、呼吸保護装置１００の例示的な遮断弁１５０を示す部分断面図である。前述したように、マスク本体１２０は、内壁１２４によって分離されている第１及び第２のチャンバ１２１及び１２２を含む。例示的な実施形態では、内壁１２４は、吸気ポート１４１を含む流体取入連通部品１４０を含んで、第１のチャンバ１２１と第２のチャンバ１２２との間の流体連通を可能にしている。流体取入連通部品１４０によって、空気を、吸気中に第１のチャンバ１２１から第２のチャンバ１２２内に引き込むことができるが、空気が第２のチャンバ１２２から第１のチャンバ１２１内に進むことはできない。例示的な実施形態では、流体取入連通部品１４０はダイアフラム又はフラップ１４３を含んでいる。ダイアフラム又はフラップ１４３を、例えば、１又は複数の中央ピン若しくはフランジによって中心位置１４４に固定しても良いし、又は周辺端部若しくは当該技術分野で知られた別の好適な位置に固定しても良い。マスク本体１２０の第２のチャンバ１２２内に陰圧がない場合、例えば装着者の呼気中などは、ダイアフラムは流体取入連通部品（例えば、シールリング１４５）の表面の方に付勢される。装着者による吸気中に、第２のチャンバ１２２内に陰圧、すなわち外部大気の圧力よりも低い圧力があると、ダイアフラム又はフラップ１４３は開位置となり、空気が第２のチャンバ１２２に第１のチャンバ１２１から入ることができる。すなわち、ダイアフラム又はフラップ１４３が曲がるか又はシールリング１４５から離れて、空気が第２のチャンバ１２２内に進んで装着者に吸気され得るようになっている。複数の例示的な実施形態では、流体取入連通部品１４０は、複数の吸気ポート及び／又は２つ以上のダイアフラム若しくはフラップ１４３を含んで、第２のチャンバ１２２内の圧力が負のときに第１のチャンバ１２１から第２のチャンバ１２２までの流体連通を選択的に可能にしても良い。
【００２６】
例示的な実施形態では、マスク本体１２０の遮断弁１５０はアクチュエータ１５１とシーリングパッド１５２とを含んでいる。閉位置では、シーリングパッド１５２は内壁１２４に接触して吸気ポート１４１をブロックし、２つ以上の呼吸用空気源と第２のチャンバ１２２によって画定される呼吸可能空気ゾーンとの間の流体連通を妨げる。遮断弁１５０が閉位置にあるとき、呼吸用空気源部品１０１、１０２からの空気は、第１のチャンバ１２１と流体連通しているが、第２のチャンバ１２２によって画定される呼吸可能空気ゾーンに流体取入連通部品１４０を通って入ることはできない。例示的な実施形態では、シーリングパッド１５２は、吸気ポート１４１を囲むシール面１４６と接触している。シール面１４６を内壁１２４から外側に延びる隆起部又は突出部の形態にして、適切なシールを吸気ポート１４１の周辺に実現できるようにしても良い。
【００２７】
シーリングパッド１５２を軟質又は弾性材料で形成して、シーリングパッドがシール面１４６と接触した時に曲がることができるようにしても良い。例示的な実施形態では、シーリングパッド１５２は着座機構（例えば、角度付き又はフランジ付きリップ（図示せず））を含んで、シール面１４６との適切なシールを容易にしている。またシーリングパッド１５２の全部又は一部が、シール面１４６と接触するときに関節構造を呈するか又は回転しても良い。シーリングパッドが曲がる及び／若しくは関節構造を呈するか又は回転することがあると、適切なシールを吸気ポート１４１の周囲に形成することが容易となり得る。
【００２８】
例示的な実施形態では、シャフト１５４はシーリングパッド１５２をガイドし、シーリングパッド１５２が開位置と閉位置との間で直線的に動くときに、シーリングパッド１５２を吸気ポート１４１と適切に位置合わせされた状態に維持する。シーリングパッド１５２は、突起、フランジ、又は他の突出部１５３であって、更にシーリングパッド１５２の回転又は位置合わせ不良を防ぐ働きをするものを含んでいても良い。シャフト１５４は、内壁１２４から（例えば流体取入連通部品１４０の中央部分から）延びている。他の種々の例示的な実施形態では、例えば、シャフト１５４はマスク本体１２０の他の部分から延びていても良い。
【００２９】
遮断弁１５０を、開位置（図１ｃ）と閉位置（図１ｄ）との間で切り換わるように動作させても良い。例示的な実施形態では、アクチュエータ１５１はボタン（例えばオーバーモールドされたエラストマー製押しボタン、スライド可能ボタンなど）であり、このボタンは、内側に直線的に押圧されると、シーリングパッド１５２がシール面１４６に接触するまでシーリングパッド１５２を流体取入連通部品１４０の方に移動させることができる。図１ｃに示す開位置では、ダイアフラム又はフラップ１４３が許す範囲で、空気が吸気ポート１４１を通って、第２のチャンバ１２２によって画定される呼吸可能空気ゾーン内に入ることができる。図１ｄに示す閉位置では、シーリングパッド１５２はシール面１４６と密封係合して、空気が吸気ポート１４１を通ることを妨げる。アクチュエータ１５１が装着者によって解放されると、弾性部材がシーリングパッド１５２を、シール面１４６との密封係合から離れる方向に付勢することにより、アクチュエータ１５１が開位置に戻る。
【００３０】
例示的な実施形態では、エラストマー製ボタンの形態のアクチュエータ１５１が弾性部材として働き、この弾性部材は、例えば、力が印加されていない場合に、シーリングパッドを、シール面１４６との密封係合から離れる方向に開位置に向けて付勢する。アクチュエータ１５１は、アクチュエータ１５１を支持する及び／又は遮断弁１５０を開位置まで付勢するための、マスク本体１２０の外壁１２３（図１ａ、１ｂ）に取り付けられた可撓性織物１５６を含んでいてもよい。織物を形成しているのは、可撓性の又は柔軟な材料であって、アクチュエータ１５１を装着者が内方に押圧したときに弾力的に変形する材料である。これを例えば図１ｄに示す。閉位置では、可撓性織物１５６は湾曲及び／又は変形して、シーリングパッド１５２がシール面１４６の方に移動するのを可能にする。可撓性織物１５６が、遮断弁１５０が開位置にある本来の構成に繰り返し戻ることができるように、可撓性織物１５６の湾曲及び／又は変形は、弾性領域に限定されるのが望ましい。
【００３１】
他の弾性部材を可撓性織物の代わりに又はそれに加えて設けても良い。様々な例示的な実施形態では、コイルバネ、板バネ、エラストマーバンド、又は当該技術分野で既知の他の好適な弾性部材を設けて、アクチュエータ１５１及び／又はシーリングパッド１５２を開位置まで付勢しても良い。その代わりに又はそれに加えて、バネ押し部材をシーリングパッド１５２の表面上に設けて、アクチュエータ１５１及び遮断弁１５０をシール面１４６から離れるように開位置の方に付勢しても良い。一部の例示的な実施形態では、コイルバネ１５９がシャフト１５４の周りに設けられて、アクチュエータ１５１及びシーリングパッド１５２をシール面１４６から離して開位置まで付勢する。１又は複数の更なる弾性部材（例えば前述したエラストマー織物）の代わりに又はそれに加えて、アクチュエータ１５１及びシーリングパッド１５２を付勢する力を、コイルバネが提供しても良い。
【００３２】
例示的な実施形態では、例えばアクチュエータをマスク本体１２０上にオーバーモールドすることによって、アクチュエータ１５１とマスク本体１２０との間にシールが形成されるようにアクチュエータ１５１がマスク本体１２０に取り付けられる。他の好適なシールを、ガスケット、フランジ、接着剤、締まり嵌め、成形技術、音波溶接、及び当該技術分野で既知の好適な技術を用いて設けて適切なシールを得て、外部環境からの空気及び汚染物質が、アクチュエータ１５１に隣接するマスク本体１２０に入ることができないようにしても良い。外部環境からの空気及び汚染物質の侵入を防ぐ適切なシールが存在することが望ましいのは、マスク本体１２０の内部の遮断弁１５０の部分を囲む体積が、呼吸可能空気ゾーン１２２と流体連通しているからである。したがって、アクチュエータ１５１に隣接するシールが十分であれば、遮断弁１５０が開位置、閉位置、又は中間位置のときの呼吸可能空気ゾーン１２２内の空気の呼吸可能性が保護される。
【００３３】
流体取入連通部品１４０及び遮断弁１５０は、圧力低下に対する悪影響（装着者が自由に呼吸できることを妨害する可能性がある）を最小限にするように構成されている。様々な例示的な実施形態では、シーリングパッド１５２の位置は、遮断弁１５０が開位置にあるときに、シール面１４６から約８ｍｍ〜１ｍｍ、約６ｍｍ〜２ｍｍ、又は約３ｍｍである。すなわち、シーリングパッド１５２は、開位置から閉位置まで約８ｍｍ〜１ｍｍ、又は約６ｍｍ〜２ｍｍ、又は約３ｍｍ移動する。このような距離であれば、比較的コンパクトである一方で開位置にあるときに空気が通る十分な間隔を与えることができる遮断弁が得られる。
【００３４】
様々な例示的な実施形態では、遮断弁１５０はマスク内の陰圧によって閉位置に留まっている場合がある。すなわち、陰圧フィットチェックを行なう間、装着者がアクチュエータ１５１を内側に押すことによってアクチュエータ１５１を閉位置まで動かし、吸気し、そしてアクチュエータ１５１を解放しても良い。装着者がアクチュエータ１５１を解放した後、弾性部材は、シーリングパッド１５２に印加される第２のチャンバ１２２内の陰圧に打ち勝たない場合がある。したがって、装着者が呼気するか又は第２のチャンバ１２２内の圧力がもはや弾性部材の力に打ち勝つのに十分ではなくなるまで、遮断弁１５０は閉位置に留まってもよい。弾性部材によって、アクチュエータ１５１を装着者が解放した後であっても遮断弁１５０が閉位置に留まれるのであれば、より正確なフィットチェックが可能になる場合がある。なぜならば、装着者は、アクチュエータ１５１に、マスク本体１２０と装着者の顔面との間のシールに影響する可能性がある力を加えてはいないからである。しかし、弾性部材によって遮断弁１５０が閉位置に留まることがマスク本体１２０の呼吸可能空気ゾーン内の陰圧によって可能である間も、装着者がアクチュエータ１５１に更に力を加えることなく、遮断弁が開位置に自動的に戻る場合がある。マスク本体内の圧力が増加したときに（例えば、装着者の呼気によって生じる）、遮断弁１５０が開位置に戻って装着者が自由に呼吸できるようになる場合がある。このような特徴部によって、アクチュエータ１５１に更に力を加えて遮断弁１５０を開位置に戻すことをせずに、装着者は安全に呼吸することが可能となる。
【００３５】
他の例示的な実施形態では、遮断弁１５０は、第２のチャンバ１２２内の圧力とは関係なく閉位置に留まっても良く、装着者が更に力を加えた時に開位置に戻っても良い。
【００３６】
図２ａ及び２ｂに例示するのは、自己整合シーリングパッドを有する遮断弁２５０の例示的な実施形態である。例示的な実施形態では、遮断弁２５０はアクチュエータ２５１とシーリングパッド２５２とを含んでいる。閉位置では、シーリングパッド２５２は内壁２２４に接触して吸気ポート２４１をブロックし、２つ以上の呼吸用空気源と第２のチャンバ２２２によって画定される呼吸可能空気ゾーンとの間の流体連通を妨げる。遮断弁２５０が閉位置にあるとき、呼吸用空気源部品２０１、２０２（図示せず）からの空気は、第１のチャンバ２２１と流体連通しているが、第２のチャンバ２２２によって画定される呼吸可能空気ゾーンに流体取入連通部品２４０を通して入ることはできない。例示的な実施形態では、シーリングパッド２５２は、吸気ポート２４１を囲むシール面２４６と接触している。シール面２４６を、内壁２２４から外側に延びる隆起部又は突出部の形態にして、適切なシールを吸気ポート２４１の周辺に実現できるようにしても良い。例示的な実施形態では、シール面２４６は、吸気ポート２４１の外側周縁部を囲む第１のシール面２４６ａ部分と、吸気ポート２４１の内側周縁部を囲む第２のシール面部分２４６ｂとを含む。
【００３７】
シーリングパッド２５２を軟質又は弾性材料で形成して、シーリングパッド２５２がシール面２４６との接触時に曲がることができるようにしても良い。例示的な実施形態では、シーリングパッド２５２は着座機構２５５（例えば、角度付き又はフランジ付きリップ）を含んで、シール面２４６との適切なシールを容易にしている。またシーリングパッド２５２の全部又は一部が、シール面２４６と接触するときに関節構造を呈するか又は回転しても良い。曲がる及び／若しくは関節構造を呈するか、又は回転することができるシーリングパッドは、適切なシールを吸気ポート１４１の周囲に形成するのを容易にし得る。
【００３８】
例示的な実施形態では、シーリングパッド２５２は、アクチュエータ２５１に取り付けられて、これによって支持されている。流体取入連通部品２４０から突き出るシャフト上を移動するのではなくて、例えば、シーリングパッド２５２はアクチュエータ２５１によってガイドされている。一部の例示的な実施形態では、シーリングパッド２５２とアクチュエータ２５１とを単体部品として一体的に形成しても良い。着座機構２４５によって、シール面２４６との適切な位置合わせ及び／又は適切なシールが容易になる。一部の実施形態では、着座機構２４５は、シーリングパッド２５２をシール面２４６と位置合わせする相補的な特徴部を含んでいても良い。
【００３９】
遮断弁２５０を、開位置（図２ａ）と閉位置（図２ｂ）との間で切り換わるように動作させても良い。例示的な実施形態では、アクチュエータ２５１はボタン（例えば、オーバーモールドされたエラストマー製押しボタン、スライド可能ボタンなど）であり、このボタンは、装着者によって内側に押圧されると、シーリングパッド２５２がシール面２４６に接触するまでシーリングパッド２５２を流体取入連通部品２４０の方に移動させることができる。図２ａに示す開位置では、ダイアフラム又はフラップ２４３が許す範囲で、空気が吸気ポート２４１を通って、第２のチャンバ２２２によって画定される呼吸可能空気ゾーン内に入ることができる。図２ｂに示す閉位置では、シーリングパッド２５２はシール面２４６と密封係合して、空気が吸気ポート２４１を通ることを妨げる。シーリングパッド２５２の少なくとも一部が、アクチュエータ２５１に印加された力が原因で湾曲及び／又は圧縮し、このような湾曲及び／又は圧縮によって適切なシールが容易になる場合がある。アクチュエータ２５１が装着者によって解放されると、弾性部材がシーリングパッド２５２を、シール面２４６との密封係合から離れる方向に付勢することにより、アクチュエータ２５１が開位置に戻ることができる。一部の例示的な実施形態では、例えば遮断弁１５０について前述したように、装着者が呼気するか又は第２のチャンバ２２２内の圧力がもはや弾性部材の力に打ち勝つのに十分ではなくなるまで、遮断弁２５０はマスク内の陰圧によって閉位置に留まってもよい。
【００４０】
例示的な実施形態では、エラストマー製ボタンの形態のアクチュエータ２５１が弾性部材として働き、この弾性部材は、シーリングパッド２５２を、シール面２４６との密封係合から離れる方向に開位置に向けて付勢する。アクチュエータ２５１は、アクチュエータ２５１を支持する及び／又は遮断弁２５０を開位置まで付勢するための、マスク本体２２０の外壁２２３に取り付けられた可撓性織物２５６を含んでいてもよい。可撓性織物２５６を形成しているのは、可撓性の又は柔軟な材料であって、アクチュエータ２５１を装着者が内方に押圧したときに弾力的に変形する材料である。閉位置では、可撓性織物２５６が湾曲及び／又は変形してシーリングパッド２５２をシール面２４６の方に移動させることができる。可撓性織物２５６が、遮断弁が開位置にある本来の構成に繰り返し戻ることができるように、可撓性織物２５６の湾曲及び／又は変形は、弾性領域に限定されるのが望ましい。
【００４１】
他の弾性部材を、可撓性織物２５６の代わりに又はそれに加えて設けても良い。様々な例示的な実施形態では、コイルバネ、板バネ、エラストマーバンド、又は当該技術分野で既知の他の好適な弾性部材を設けて、アクチュエータ２５１及びシーリングパッド２５２を開位置まで付勢しても良い。その代わりに又はそれに加えて、バネ押し部材をシーリングパッド２５２の表面上に設けて、アクチュエータ２５１及び遮断弁２５０をシール面２４６から離れるように開位置まで付勢しても良い。
【００４２】
図３ａ及び３ｂに例示するのは、旋回シーリングパッドを有する遮断弁３５０の例示的な実施形態である。例示的な実施形態では、遮断弁３５０はアクチュエータ３５１とシーリングパッド３５２とを含んでいる。図１ａ〜図１ｄを参照して前述した呼吸保護装置１００と同様に、遮断弁３５０を、例えば、第１のチャンバ３２１と、第２のチャンバ３２２によって画定される呼吸可能空気ゾーンとを含む呼吸保護装置内に組み込んでも良い。例示的な実施形態では、第１及び第２のチャンバ３２１、３２２は、流体取入連通部品３４０を含む内壁３２４によって分離されている。流体取入連通部品３４０は１又は複数の開口部を含んで、第１のチャンバ３２１と第２のチャンバ３２２との間の流体連通を実現している。流体取入連通部品３４０は、第１のチャンバ３２１と第２のチャンバ３２２との間の流体連通を選択的に可能にするための吸気弁を含んでいても良い。例示的な実施形態では、流体取入連通部品３４０はダイアフラム又はフラップ（図示せず）を含んでいて、空気が、吸気中に第１のチャンバから第２のチャンバ内に引き込まれる場合はあるが、空気が第２のチャンバから第１のチャンバ内に進むことはないようになっている（これは、例えば流体取入連通部品１４０を参照して前述した通りである）。
【００４３】
例示的な実施形態では、遮断弁３５０は、アクチュエータ３５１とシーリングパッド３５２とを含んでいる。閉位置では、シーリングパッド３５２は内壁３２４に接触して吸気ポート３４１をブロックし、２つ以上の呼吸用空気源と第２のチャンバ３２２によって画定される呼吸可能空気ゾーンとの間の流体連通を妨げる。遮断弁３５０が閉位置にあるとき、呼吸用空気源部品（図示せず）からの空気は、第１のチャンバ３２１と流体連通しているが、第２のチャンバ３２２によって画定される呼吸可能空気ゾーンに流体取入連通部品３４０を通って入ることはできない。例示的な実施形態では、シーリングパッド３５２は、吸気ポート３４１を囲むシール面３４６と接触している。シール面３４６を、内壁３２４から外側に延びる隆起部又は突出部の形態にして、適切なシールを吸気ポート３４１の周辺に実現できるようにしても良い。
【００４４】
遮断弁３５０を、開位置（図３ａ）と閉位置（図３ｂ）との間で切り換わるように動作させても良い。例示的な実施形態では、アクチュエータ３５１はボタン（例えば、オーバーモールドされたエラストマー製押しボタン、スライド可能ボタンなど）であり、このボタンは、装着者によって内側に押圧されると、シーリングパッド３５２がシール面３４６に接触するまでシーリングパッド３５２を旋回位置３５９で旋回させることができる。図３ａに示す開位置では、例えば、ダイアフラム又はフラップが許す範囲で、空気が吸気ポート３４１を通って、第２のチャンバ３２２によって画定される呼吸可能空気ゾーン内に入ることができる。図３ｂに示す閉位置では、シーリングパッド３５２はシール面３４６と密封係合して、空気が吸気ポート３４１を通るのを妨げている。シーリングパッド３５２の少なくとも一部が、アクチュエータ３５１に印加された力が原因で湾曲及び／又は圧縮しても良く、このような湾曲及び／又は圧縮によって適切なシールが容易になる。アクチュエータ２５１が装着者によって解放されると、弾性部材がアクチュエータ３５１を開位置まで付勢することにより、アクチュエータ３５１が開位置に戻ることができる。一部の例示的な実施形態では、例えば遮断弁１５０について前述したように、装着者が呼気するか又は第２のチャンバ３２２内の圧力がもはや弾性部材の力より大きくなくなるまで、遮断弁３５０はマスク内の陰圧によって閉位置に留まってもよい。
【００４５】
例示的な実施形態では、エラストマー製ボタンの形態のアクチュエータ３５１が弾性部材として働き、この弾性部材は、シーリングパッド３５２を、シール面３４６との密封係合から離れる方向に開位置に向けて付勢する。アクチュエータ３５１は、アクチュエータ３５１を支持する及び／又は遮断弁３５０を開位置まで付勢するための、マスク本体３２０の外壁（図示せず）に取り付けられた可撓性織物３５６を含んでいてもよい。織物３５６を形成しているのは、可撓性の又は柔軟な材料であって、アクチュエータ３５１を装着者が内方に押圧したときに弾力的に変形する材料である。これを例えば図３ｂに示す。一部の例示的な実施形態では、アクチュエータ３５１はシーリングパッド３５２に取り付けられていない。弾性部材（例えば可撓性織物３５６）はアクチュエータ３５１を開位置まで付勢し、１又は複数の更なる部材（例えばバネ部材３５７）は、シーリングパッド３５２を開位置まで付勢する。バネ部材３５７は、シーリングパッド３５２を開位置まで付勢する任意の好適なバネを含んでいても良い。該バネとしては、例えば、コイルバネ、板バネ、エラストマーバンド、又は当該技術分野で既知の好適な弾性部材が挙げられる。他の例示的な実施形態では、アクチュエータ３５１がシーリングパッド３５２に取り付けられており、弾性部材（例えば、可撓性織物及び／又はバネ部材３５７）が、アクチュエータ３５１とシーリングパッド３５２との両方を開位置まで付勢する。
【００４６】
シーリングパッド３５２は軟質又は弾性材料の少なくとも一部を含んでいて、シーリングパッド３５２の少なくとも一部がシール面３４６との接触時に湾曲又は圧縮する場合があるようにしても良い。シーリングパッド３５２の少なくとも一部を剛性又は半剛性にして、アクチュエータ３５１からの力が、シーリングパッド３５２の、シール面３４６と接触する部分全体に伝達される場合があるようにしても良い。アクチュエータ３５１がシーリングパッド３５２を閉位置まで動かしたときにシーリングパッド３５２が過剰に湾曲すると、シーリングパッド３５２とシール面３４６との間にギャップが生じ、その結果、空気の侵入によって、正確な陰圧フィットチェックを行なうことができなくなる可能性がある。
【００４７】
図４ａ及び４ｂに例示するのは、旋回シーリングパッドと、回転可能なアクチュエータとを有する遮断弁４５０の例示的な実施形態である。図１ａ〜図１ｄを参照して前述した呼吸保護装置１００と同様に、遮断弁４５０が、例えば、第１のチャンバ４２１と、第２のチャンバ４２２によって画定される呼吸可能空気ゾーンとを含む呼吸保護装置に組み込まれていても良い。例示的な実施形態では、第１及び第２のチャンバ４２１、４２２は、流体取入連通部品４４０を含む内壁４２４によって分離されている。流体取入連通部品４４０は、１又は複数の開口部を含んで、第１のチャンバ４２１と第２のチャンバ４２２との間の流体連通を実現している。流体取入連通部品４４０は、第１のチャンバ４２１と第２のチャンバ４２２との間の流体連通を選択的に可能にするための吸気弁を含んでいても良い。例示的な実施形態では、流体取入連通部品４４０はダイアフラム又はフラップ（図示せず）を含んでいて、空気が、吸気中に第１のチャンバから第２のチャンバ内に引き込まれる場合はあるが、空気が第２のチャンバから第１のチャンバ内に進むことはないようになっている（これは、例えば流体取入連通部品１４０を参照して前述した通りである）。
【００４８】
例示的な実施形態では、遮断弁４５０は、回転可能なアクチュエータ４５１とシーリングパッド４５２とを含んでいる。閉位置では、シーリングパッド４５２は内壁４２４に接触して吸気ポート４４１をブロックし、２つ以上の呼吸用空気源と第２のチャンバ４２２によって画定される呼吸可能空気ゾーンとの間の流体連通を妨げる。遮断弁４５０が閉位置にあるとき、呼吸用空気源部品（図示せず）からの空気は第１のチャンバ４２１と流体連通しているが、第２のチャンバ４２２によって画定される呼吸可能空気ゾーンに流体取入連通部品４４０を通って入ることはできない。例示的な実施形態では、シーリングパッド４５２は、吸気ポート４４１を囲むシール面４４６と接触している。シール面４４６を、内壁４２４から外側に延びる隆起部又は突出部の形態にして、適切なシールが吸気ポート４４１の周辺に実現できるようにしても良い。
【００４９】
遮断弁４５０を、開位置（図４ａ）と閉位置（図４ｂ）との間で切り換わるように動作させても良い。例示的な実施形態では、アクチュエータ４５１は、第１の位置と第２の位置との間で回転する場合がある回転可能なアクチュエータである。回転可能なアクチュエータ４５１が第１の位置にあるときに遮断弁４５０は開位置にあり、回転可能なアクチュエータ４５１が第２の位置にあるときに遮断弁４５０は閉位置にある。例示的な実施形態では、回転可能なアクチュエータ４５１は開位置と閉位置との間で９０度だけ回転する。他の例示的な実施形態では、回転可能なアクチュエータ４５１は開位置と閉位置との間で４５度、１８０度、又は他の好適な角度だけ回転する。回転可能なアクチュエータ４５１はカム４５８を含んでいる。回転可能なアクチュエータ４５１が回転すると、カム４５８がシーリングパッド４５２をシール面４４６の方に押し、カム４５８が旋回位置４５９で旋回することが、シーリングパッド４５２がシール面４４６に接触するまで行なわれる。図４ｂに示す閉位置では、シーリングパッド４５２はシール面４４６と密封係合して、空気が吸気ポート４４１を通るのを妨げている。シーリングパッド４５２の少なくとも一部が、アクチュエータ４５１に印加された力が原因で湾曲及び／又は圧縮しても良く、このような湾曲及び／又は圧縮によって適切なシールが容易になる。例示的な実施形態では、回転可能なアクチュエータが装着者によって解放されると、回転可能なアクチュエータ４５１は、弾性部材（図示せず）によって開位置に戻る。弾性部材は、例えば、ねじれバネ又は当該技術分野で既知の他の好適な弾性部材であっても良い。他の例示的な実施形態では、回転可能なアクチュエータ４５１が開位置に戻るのは、装着者が更に力を加えたときのみである。アクチュエータ４５１は、例えば装着者がアクチュエータ４５１を第１の位置まで回転させるまで第２の位置に留まって、遮断弁４５０が閉位置にあるようにする。バネ部材４５７は、シーリングパッド４５２を開位置まで付勢する。バネ部材４５７は、シーリングパッド４５２を開位置まで付勢する任意の好適なバネを含んでいても良い。該バネとしては、例えば、コイルバネ、板バネ、エラストマーバンド、又は当該技術分野で既知の好適な弾性部材が挙げられる。
【００５０】
シーリングパッド４５２は、軟質又は弾性材料の少なくとも一部を含んで、シーリングパッド４５２の少なくとも一部が、シール面４４６との接触時に湾曲又は圧縮する場合があるようにしても良い。シーリングパッド４５２の少なくとも一部を剛性又は半剛性にして、アクチュエータ４５１からの力が、シーリングパッド４５２の、シール面４４６と接触する部分全体に伝達される場合があるようにしても良い。開位置と閉位置との間を所定の角度で回転することができる回転可能なアクチュエータ４５１であって、シーリングパッド４５２を閉位置まで移動させるカム４５８を有するアクチュエータ４５１であれば、シーリングパッド４５２が閉位置に動く度に、一様な力がシーリングパッド４５２まで伝達される。こうして、望ましいシールを形成する適切な力が容易かつ常に実現される。
【００５１】
回転可能なアクチュエータは、使いやすさ、及び陰圧フィットチェックの実行中に生じるマスク本体のフィットに対する影響の軽減といった、いくつかの利点を提供すると考えられる。回転可能なアクチュエータが回転するには、装着者の顔面に向かう方向の力は必要ではない。そのため、マスク本体と装着者の顔面との間の自然接触が変わらない場合がある。したがって、正確な陰圧フィットチェックを実現することができる。
【００５２】
図５ａ〜５ｃに例示するのは、鼻部及び口部を覆って呼吸可能空気を装着者に送ることができる例示的な呼吸保護装置５００である。呼吸保護装置５００はマスク本体５２０を含み、マスク本体５２０は第１及び第２の入口ポート５０３及び５０４を含んでいる。第１及び第２の呼吸用空気源部品（図示せず）は、マスク本体５２０の対向する側面上に位置付けられても良い。例示的な実施形態では、第１及び第２の呼吸用空気源部品は、第１及び第２の入口ポート５０３及び５０４に取り付けられるように構成されたフィルタカートリッジである。フィルタカートリッジは、外部環境から受け取った空気を濾過することを、空気がマスク本体内の内部空間内に進んで装着者に対する送達を行なう前に行なう。
【００５３】
マスク本体５２０は、剛性又は半剛性部分５２０ａと、柔軟な顔面接触部分５２０ｂとを含んでいても良い。マスク本体の柔軟な顔面接触部分が従順に作られているのは、例えば、マスク本体を人の鼻部及び口部上方で快適に支持できるようにするため、並びに／又は装着者の顔面との適切なシールを実現してマスク本体５２０の内部への望ましくない空気侵入を制限するためである。顔面接触部材５２０ｂは内曲したカフを有していても良く、それにより、マスクは装着者の鼻部の上方で及び装着者のほおに接触して、快適かつぴったりとフィットすることができる。剛性又は半剛性部分５２０ａによってマスク本体５２０に対する構造的完全性が得られるため、剛性又は半剛性部分５２０ａによって呼吸用空気源部品（例えば、フィルタカートリッジなど）を適切に支持することができる。複数の例示的な実施形態では、マスク本体部分５２０ａ及び５２０ｂを一体的に設けても良いし、又は別個に形成された部分として設けた後、永続的又は取り外し可能な方法で互いに接合しても良い。
【００５４】
呼気ポート５３０によって、装着者による呼気中に空気をマスク本体内の内部空間からパージすることができる。例示的な実施形態では、呼気ポート５３０はマスク本体５２０の中心に配置されている。呼気弁を呼気ポートにフィットさせて、呼気時にマスク本体５２０内に形成される陽圧によって空気が出られるようになっているが、外部空気の侵入は防がれている。
【００５５】
第１及び第２の入口ポート５０３、５０４は、第１及び第２の呼吸用空気源部品を受け入れるように構成されている。図５ａに示す例示的な実施形態では、マスク本体５２０は、第１及び第２の入口ポート５０３、５０４をマスク本体５２０の両側に含んでおり、マスク本体５２０のほお部分に隣接していても良い。第１及び第２の入口ポート５０３、５０４は相補的なはめ合い特徴部を含んでいて、第１及び第２の呼吸用空気源部品（図示せず）がマスク本体５２０に確実に取り付けられることができるようになっている。当該技術分野で既知の他の好適な接続部を設けても良い。はめ合い特徴部によって取外し可能な接続部が得られて、呼吸用空気源部品の耐用年数の終わりに又は異なる呼吸用空気源部品を用いることが要求された場合に、呼吸用空気源部品の取り外し及び交換を行えるようになっていても良い。代替的に、接続を永続的なものにして、例えば、呼吸用空気源部品に損傷を与えることなく呼吸用空気源部品を取り外すことができないようにしても良い。
【００５６】
呼吸保護装置５００は、複数の流体取入連通部品を閉じるための遮断弁５５０を含んでいる。例示的な実施形態では、遮断弁５５０は閉位置と開位置との間で動作可能である。閉位置では、遮断弁５５０によって、入口ポート５０３及び５０４における両方の呼吸用空気源部品と、マスク本体５２０の呼吸可能空気ゾーンとの間の流体連通が妨げられている。
【００５７】
遮断弁５５０によって、装着者は陰圧フィットチェックを行なって、マスク本体の周縁に漏れが存在する表示を得ることができる。遮断弁５５０が閉位置にあるとき、空気がマスク本体５２０の呼吸可能空気ゾーンに入ることが妨げられる。遮断弁が閉位置にある間に装着者による吸気があると、マスク内に陰圧が生じ、一部の例示的な実施形態では、マスク本体と装着者の顔面との間に適切なシールが実現されている場合には、柔軟な顔面接触部材を内側に撓ませる場合がある。適切なシールが実現されていない場合、吸気が起きると、外部環境からの空気がマスク本体の周縁部と装着者の顔面との間の呼吸可能空気ゾーンに入る場合がある。このように、適切なシールが呼吸保護装置５００と装着者の顔面及び／又は頭部との間で実現されているかを判定するために、呼吸保護装置５００を着用している装着者が、陰圧フィットチェックを容易に行なうことが可能である。
【００５８】
第１及び第２の呼吸用空気源部品（例えばフィルタカートリッジ）を第１及び第２の入口ポート５０３、５０４に取り付けても良い。それに応じて、第１の呼吸用空気源部品を通った後に第１の入口ポート５０３を通ってマスク本体５２０に入った空気は、第１の流体取入連通部品５４０ａを通って呼吸可能空気ゾーン５２２に入る場合があり、第２の呼吸用空気源部品を通った後に第２の入口ポート５０４を通ってマスク本体５２０に入った空気は、第２の流体取入連通部品５４０ｂを通って呼吸可能空気ゾーン５２２に入る場合がある。したがって、第１及び第２の呼吸用空気源５０１、５０２からの空気は、異なる流体取入連通部品５４０ａ、５４０ｂを通って呼吸可能空気ゾーン５２２に入る。第１及び第２の流体取入連通部品５４０ａ、５４０ｂはそれぞれ、１又は複数の開口部を含んでいて、第１及び第２の入口ポート５０３、５０４と呼吸可能空気ゾーン５２２との間の流体連通を実現している。第１及び第２の流体取入連通部品５４０ａ、５４０ｂはそれぞれ、第１及び第２の入口ポート５０３、５０４と呼吸可能空気ゾーン５２２との間の流体連通を選択的に可能にするための吸気弁を含んでいても良い。
【００５９】
例示的な実施形態では、遮断弁５５０は、アクチュエータ５５１と、第１及び第２のシーリングパッド５５２ａ、５５２ｂとを含んでいる。アクチュエータが押し下げられると、第１及び第２のシーリングパッド５５２ａ、５５２ｂが第１及び第２の吸気ポートをブロックして、２つ以上の呼吸用空気源と呼吸可能空気ゾーン５２２との間の流体連通を妨げる。例示的な実施形態では、第１及び第２のシーリングパッド５５２ａ、５５２ｂは作動面５４７ａ、５４７ｂを含んでおり、アクチュエータ５５１はこれら作動面に接触して、シーリングパッド５５２ａ、５５２ｂに第１及び第２の吸気ポートをブロックさせる。例示的な実施形態では、シーリングパッド５５２ａ、５５２ｂは、それぞれ、第１及び第２の吸気ポート５４１ａ、５４１ｂを囲む第１及び第２のシール面５４６ａ、５４６ｂと接触している。シール面５４６ａ、５４６ｂを、マスク本体５２０又は第１及び第２の流体取入連通部品５４０ａ、５４０ｂの内面から外側に延びる隆起部又は突出部の形態にして、適切なシールを吸気ポート５４１ａ及び５４１ｂの周辺に実現できるようにしても良い。
【００６０】
遮断弁５５０を、開位置（図５ｂ）と閉位置（図５ｃ）との間で切り換わるように動作させても良い。例示的な実施形態では、アクチュエータ５５１は、ボタン（例えば、オーバーモールドされたエラストマー製押しボタン、スライド可能ボタンなど）であり、このボタンは、装着者によって内側に押圧されると、第１及び第２のシーリングパッド５５２ａ、５５２ｂが第１及び第２の流体取入連通部品５４０ａ、５４０ｂのシール面５４６ａ、５４６ｂに接触するまで、第１及び第２のシーリングパッド５５２ａ、５５２ｂを旋回位置５５９ａ、５５９ｂ（図示せず）の周りで旋回させることができる。図５ｂに示す開位置では、ダイアフラム又はフラップ（図示せず）が許す範囲で、空気が吸気ポート５４１ａ、５４１ｂを通って呼吸可能空気ゾーン５２２内に入ることができる。図５ｃに示す閉位置では、シーリングパッド５５２ａはシール面５４６ａと密封係合して、空気が吸気ポート５４１ａを通るのを妨げている。アクチュエータ５５１が装着者によって解放されると、弾性部材がアクチュエータ５５１を開位置まで付勢することにより、アクチュエータ５５１が開位置に戻ることができる。一部の例示的な実施形態では、例えば遮断弁１５０について前述したように、装着者が呼気するか又は呼吸可能空気ゾーン５２２内の圧力がもはや弾性部材の力より大きくなくなるまで、遮断弁２５０はマスク内の陰圧によって閉位置に留まってもよい。
【００６１】
例示的な実施形態では、エラストマー製ボタンの形態のアクチュエータ５５１が弾性部材として働いて、アクチュエータ５５１を開位置の方に付勢する。アクチュエータ５５１は、アクチュエータ５５１を支持する及び／又は遮断弁５５０を開位置まで付勢するための、マスク本体５２０の外壁５２３に取り付けられた可撓性織物５５６を含んでいてもよい。可撓性織物５５６を形成しているのは、可撓性の又は柔軟な材料であって、アクチュエータ５５１を装着者が内方に押圧したときに弾力的に変形する材料である。これを例えば図５ｃに示す。閉位置では、可撓性織物５５６が湾曲及び／又は変形してシーリングパッド５５２ａ、５５２ｂを旋回させることが、例えば作動タブ５４７ａ、５４７ｂに接触することによって行なわれる。エラストマー織物が、遮断弁が開位置にある本来の構成に繰り返して戻ることができるように、エラストマー織物の湾曲及び／又は変形は、弾性領域に限定されるのが望ましい。
【００６２】
例示的な実施形態では、アクチュエータ５５１はマスク本体５２０に取り付けられていて、シールがアクチュエータ５５１とマスク本体５２０との間に形成されるようになっている。例えば、アクチュエータ５５１の一部をマスク本体５２０に接合して適切なシールを得ることを、例えばオーバーモールドによって行なっても良い。他の好適なシールを、ガスケット、フランジ、接着剤、締まり嵌め、成形技術、音波溶接、及び当該技術分野で既知の好適な技術を用いて設けても良い。アクチュエータ５５１に隣接するシールが十分であれば、遮断弁５５０が開位置、閉位置、又は中間位置のときに外部環境から未濾過の空気が侵入するのが妨げられる。
【００６３】
他の弾性部材を、アクチュエータ５５１の可撓性織物の代わりに又はそれに加えて設けても良い。一部の例示的な実施形態では、アクチュエータ５５１はシーリングパッド５５２ａ、５５２ｂに取り付けられていない。弾性部材（例えば可撓性織物５５６）がアクチュエータ５５１を開位置まで付勢し、１又は複数の更なる部材（例えばバネ部材５５８ａ、５５８ｂ）がシーリングパッド５５２ａ、５５２ｂを開位置まで付勢する。バネ部材５５８ａ、５５８ｂは、シーリングパッド５５２ａ、５５２ｂを開位置まで付勢する任意の好適なバネを含んでいても良く、例えば、コイルバネ、板バネ、エラストマーバンド、又は当該技術分野で既知の好適な弾性部材が挙げられる。一部の例示的な実施形態では、アクチュエータ５５１がシーリングパッド５５２ａ、５５２ｂ及び弾性部材（例えば可撓性織物）に取り付けられており、並びに／又は１若しくは複数のバネ部材５５８ａ、５５８ｂによってアクチュエータ５５１及びシーリングパッド５５２ａ、５５２ｂが両方とも開位置に向かって付勢される。
【００６４】
本開示による呼吸マスクによっていくつかの利点が得られる。閉位置と開位置との間で動作可能な遮断弁によって、装着者は陰圧フィットテストを容易に行なうことができる。入口ポートを閉じる遮断弁によって、例えば、適切なシールがマスクの周縁部とユーザの顔面との間に存在することを検証するための、従来の陽圧フィット装置と比べてより効果的で再現可能なフィットチェックが実現されると考えられる。したがって、本開示による呼吸マスクは、例えば従来の多くの装置ではアクセス不可能で容易には閉じなかった入口弁を閉じることに対する解決方法を提供することができる。前述した呼吸マスクによって、陰圧フィットテストを単一の弁を閉じることによって行なうことが、マスクが複数の呼吸用空気源部品又はより多くの入口ポートを含む場合があったとしても可能であり、例えば、装着者が複数のアクチュエータと嵌合することも、各入口ポート又は呼吸用空気源部品に対して個々の試験を行なうことも必要としない。本明細書で説明した遮断弁は、ハーフフェイス人口呼吸器、フルフェイス人口呼吸器、動力付き又は陽圧人口呼吸器、及び他の好適な呼吸保護装置に適している場合がある。
【００６５】
上記の詳細な説明及び実施例は、理解を明確にするためにのみ示したものである。詳細な説明及び実施形態から不必要な限定が何らなされることはない。当業者には明らかであるように、本開示の範囲から逸脱することなく、説明した実施形態において多くの変形を行なうことができる。上記の実施形態のいずれかに関して記載されたいずれかの特徴又は特性は、個別に、又は他のいずれかの特徴又は特性と組み合わせて組み込むことができ、単に説明を明瞭にするために上記の順番及び組み合わせで提示されている。したがって、本開示の範囲は、本明細書で説明した厳密な詳細及び構造に限定されるべきではなく、むしろ請求項の言葉で説明されている構造及びこれらの構造の均等物によって限定されるべきである。
【図１ａ】
0006395729.tif 000002
【図１ｂ】
0006395729.tif 000003
【図１ｃ】
0006395729.tif 000004
【図１ｄ】
0006395729.tif 000005
【図２ａ】
0006395729.tif 000006
【図２ｂ】
0006395729.tif 000007
【図３ａ】
0006395729.tif 000008
【図３ｂ】
0006395729.tif 000009
【図４ａ】
0006395729.tif 000010
【図４ｂ】
0006395729.tif 000011
【図５ａ】
0006395729.tif 000012
【図５ｂ】
0006395729.tif 000013
【図５ｃ】
0006395729.tif 000014